(57)【要約】【課題】  従来よりも安全で、且つ、安価に形成することのできる中層建築物用エレベータのかご室昇降路の隔壁構造物及びその構築方法を提供する。【解決手段】  中層建築物用エレベータのかご室昇降路の隔壁構造物１であって、平面形状ほぼコ字形の第一ブロック２と平面形状ほぼロ字形の第二ブロック３とを基礎６上に交互に複数積み重ねることによりかご室昇降路を形成し、積み重ねられた第一ブロック２及び第二ブロック３の連続する鉛直方向の連通孔７内に軸芯８を挿通し、当該連通孔７内にモルタルを充填してかご室昇降路を固定するとともに、各第二ブロック３の上端で第一ブロック２の開口側に中層建築物側へと連絡する橋絡部４を設け、当該第一ブロック２及び第二ブロック３は汎用のコンクリート型枠を用いて形成され、当該橋絡部４は積み重ねしない第一ブロック２又は第二ブロック３を鉛直方向中央で切断して形成されてなる。【選択図】図１
2015165077.tif 000002
【特許請求の範囲】
【請求項１】
プレキャストコンクリートの構築において、複数のプレキャスト部材を組み立てる際、当該複数のプレキャスト部材に連続して軸芯を挿通して当該複数のプレキャスト部材を一体化した後に、当該軸芯による緊張作業を不要とし、ストレスフリーにより構築したことを特徴とするプレキャストコンクリートの建築構造物。
【請求項２】
前記複数のプレキャスト部材に連続して挿通した軸芯の長さを、当該複数のプレキャスト部材を一体化したプレキャストコンクリートの変形に応じて当該軸芯が引張力に抵抗することにより、当該プレキャストコンクリートにストレスを付与することのできる長さに形成したことを特徴とする請求項１に記載のプレキャストコンクリートの建築構造物。
【請求項３】
前記建築構造物が中層建築物用エレベータのかご室昇降路の隔壁構造物であることを特徴とする請求項１又は２のいずれかに記載のプレキャストコンクリートの建築構造物。
【請求項４】
水平方向に設けられた廊下又は鉛直方向に設けられた階段に併設する中層建築物用エレベータのかご室昇降路の隔壁構造物であって、
平面形状ほぼコ字形で鉛直方向の連通孔が複数形成された第一ブロックと、平面形状ほぼロ字形で鉛直方向に連通孔が複数形成された第二ブロックとを、当該第一ブロックを廊下又は階段の方に開口させて基礎上に交互に複数積み重ねることによりかご室昇降路を形成し、
前記第一ブロック及び第二ブロックの接合面にグラウト剤を塗布して第一ブロック及び第二ブロックを一体化した上で、積み重ねられて連続する鉛直方向の連通孔内に、基礎内に下端部を埋め込んだ軸芯を、緊張作業を不要として当該軸芯によるストレスを第一ブロック及び第二ブロックに付与せず、且つ、当該軸芯の長さを当該隔壁構造物が変形した際に当該軸芯が引張力に抵抗してストレスを付与することのできる長さで形成して挿通し、
当該軸芯が挿通された連通孔内にモルタルを充填してかご室昇降路を固定することを特徴とする中層建築物用エレベータのかご室昇降路の隔壁構造物。
【請求項５】
前記隔壁構造物において、各第二ブロックの上端で第一ブロックの開口側に中層建築物側へと連絡する橋絡部を設け、
前記第一ブロック及び第二ブロックは、トンネル状のコンクリート構造物を構築するための汎用のコンクリート型枠を用いて平面形状ほぼコ字形及びロ字形に夫々形成され、
前記橋絡部は、積み重ねしない第一ブロック又は第二ブロックを鉛直方向中央で切断して形成されてなることを特徴とする請求項４に記載の中層建築物用エレベータのかご室昇降路の隔壁構造物。
【請求項６】
プレキャストコンクリートの構築方法であって、
基礎上に軸芯の下端を埋め込んで立設する第一工程と、
鉛直方向の連通孔が複数形成された第一プレキャスト部材を、当該連通孔に前記軸芯の先端が露出するように挿通させて基礎上に設置する第二工程と、
当該軸芯の先端に接続部材を取り付け、さらに他の軸芯を接続して延伸する第三工程と、
鉛直方向の連通孔が複数形成された他のプレキャスト部材を、当該連通孔に前記延伸した軸芯の先端が露出するように挿通させて前記プレキャスト部材上に設置する第四工程とを含み、
前記第二工程乃至第四工程を繰り返してプレキャストコンクリートを構築し、前記接続して延伸した軸芯の長さを、当該プレキャストコンクリートの変形に応じて当該軸芯が引張力に抵抗して、当該プレキャストコンクリートにストレスを付与することのできる長さになるようにしたことを特徴とするプレキャストコンクリートの構築方法。
【請求項７】
水平方向に設けられた廊下又は鉛直方向に設けられた階段に併設する中層建築物用エレベータのかご室昇降路の隔壁構造物の構築方法であって、
平面形状ほぼコ字形で鉛直方向の連通孔が複数形成された第一ブロックと、平面形状ほぼロ字形で鉛直方向に連通孔が複数形成された第二ブロックとを、トンネル状のコンクリート構造物を構築する汎用のコンクリート型枠を用いて形成する工程と、
前記第一ブロックを廊下又は階段の方に開口して基礎上から前記第二ブロックとともに交互に複数積み重ねて、第一ブロック及び第二ブロックの接合面に接着剤を塗布して第一ブロック及び第二ブロックを一体化し、かご室昇降路を形成する工程と、
前記第一ブロック及び第二ブロックが積み重ねられて連続する鉛直方向の連通孔内に、基礎内に下端部を埋め込んだ軸芯を、緊張作業を不要として当該軸芯によるストレスを第一ブロック及び第二ブロックに付与せず、且つ、当該軸芯の長さを当該隔壁構造物が変形した際に当該軸芯が引張力に抵抗してストレスを付与することのできる長さで形成して挿通し、当該軸芯が挿通された連通孔内にモルタルを充填してかご室昇降路を固定する工程とを含むことを特徴とする中層建築物用エレベータのかご室昇降路の隔壁構造物の構築方法。
【発明の詳細な説明】
【技術分野】
【０００１】
本発明は、安全で、且つ、安価に形成することのできるプレキャストコンクリート（以下、プレコンという。）の建築構造物及び当該建築構造物の構築方法並びに中層建築物用エレベータのかご室昇降路の隔壁構造物及び当該隔壁構造物の構築方法に関する。
【背景技術】
【０００２】
一般的に、コンクリート構築物については、建築現場にコンクリート型枠を組み立て、当該型枠内にコンクリートを打設して構築するＲＣ構造のコンクリート構築物と、予めコンクリートで構築したプレキャスト部材を建築現場に運搬し、建築現場でプレキャスト部材を組み立てて構築するプレコン構造のコンクリート構築物とがある。
【０００３】
当該プレコン構造のコンクリート構築物としては、平面状ほぼコ字形で複数形成されたブロックを廊下又は階段の方に開口して基礎上に複数積み重ねることにより、かご室昇降路を形成し、基礎内に下端部を埋め込んだ高張力の軸芯を、積み重ねられて連続する鉛直方向の連通孔内に挿通し、その高張力の軸芯の少なくとも上端部をブロックの最上部で引っ張り、最上層のブロックを下方へ押圧することにより、積み重ねられた各ブロック同士を締め付けたことで、各ブロックを一体化する中層建築物用エレベータのかご室昇降路の隔壁構造物とその構築方法が提供されている（特許文献１）。
【０００４】
このような各ブロックを積み重ねて構築するプレコン構造のコンクリート構築物においては、ＰＣ鋼材のような高張力の軸芯を各ブロックに連続して挿通し、上部から引っ張って各ブロックを下方へと押圧して締め付けることにより、各ブロックに予めストレスを付与して一体化させ、強度を向上させるのが一般的である。
【先行技術文献】
【特許文献】
【０００５】
【特許文献１】特開２０００−１８５８８４号公報
【発明の概要】
【発明が解決しようとする課題】
【０００６】
しかしながら、特許文献１に記載の技術のようなプレコンでは、積み重ねられたブロックを高張力の軸芯を引っ張ることによって締め付けるために、隔壁構造物自体が過剰強度となるとともに、コンクリート製のブロックにクラックが生じやすく、雨水などの凍結融解によりクラックが増大し漏水につながるという問題があった。
【０００７】
また、当該技術では、高張力の軸芯を引っ張る際に、当該軸芯を誤って切断させたり、当該軸芯の固定部分が外れたり等してしまい、高張力の軸芯に作業員が接触して怪我をする等、重大な事故が発生するおそれがあるという問題があった。
【０００８】
また、当該技術では、コンクリート製の橋絡部を含むブロックは、当該ブロックを形成するための専用のコンクリート型枠が用いられていたが、当該ブロックを形成するためだけにコンクリート型枠を組み立てるのはブロックの構築費用を増大させるという問題があった。
【０００９】
一方で、当該文献に記載の発明のように、従来、プレコンの構築においては、軸芯によるストレスを予め付加してコンクリート構造物の強度を向上させるのが通常であり、このため、現在、プレコンをストレスフリーによって構築した事例は存在せず、また、強度上の問題をも生じ得るため、プレコンをストレスフリーによって構築しようという着想も存在し得なかった。
【００１０】
そこで、本発明は、従来よりも安全で、且つ、安価に形成することのできるプレキャストコンクリートの建築構造物及び当該建築構造物の構築方法並びに中層建築物用エレベータのかご室昇降路の隔壁構造物及び当該隔壁構造物の構築方法を提供することを課題とした。
【課題を解決するための手段】
【００１１】
上記課題を解決するために、本発明は次のように構成した。すなわち、本発明に係る請求項１に記載のプレキャストコンクリートの建築構造物は、プレキャストコンクリートの構築において、複数のプレキャスト部材を組み立てる際、当該複数のプレキャスト部材に連続して軸芯を挿通して当該複数のプレキャスト部材を一体化した後に、当該軸芯による緊張作業を不要とし、ストレスフリーにより構築したことを特徴としている。
【００１２】
また、請求項２に記載のプレキャストコンクリートの建築構造物は、前記複数のプレキャスト部材に連続して挿通した軸芯の長さを、当該複数のプレキャスト部材を一体化したプレキャストコンクリートの変形に応じて当該軸芯が引張力に抵抗することにより、当該プレキャストコンクリートにストレスを付与することのできる長さに形成したことを特徴としている。
【００１３】
また、請求項３に記載のプレキャストコンクリートの建築構造物は、前記建築構造物が中層建築物用エレベータのかご室昇降路の隔壁構造物であることを特徴としている。
【００１４】
また、請求項４に記載の中層建築物用エレベータのかご室昇降路の隔壁構造物は、水平方向に設けられた廊下又は鉛直方向に設けられた階段に併設する中層建築物用エレベータのかご室昇降路の隔壁構造物であって、平面形状ほぼコ字形で鉛直方向の連通孔が複数形成された第一ブロックと、平面形状ほぼロ字形で鉛直方向に連通孔が複数形成された第二ブロックとを、当該第一ブロックを廊下又は階段の方に開口させて基礎上に交互に複数積み重ねることによりかご室昇降路を形成し、前記第一ブロック及び第二ブロックの接合面にグラウト剤を塗布して第一ブロック及び第二ブロックを一体化した上で、積み重ねられて連続する鉛直方向の連通孔内に、基礎内に下端部を埋め込んだ軸芯を、緊張作業を不要として当該軸芯によるストレスを第一ブロック及び第二ブロックに付与せず、且つ、当該軸芯の長さを当該隔壁構造物が変形した際に当該軸芯が引張力に抵抗してストレスを付与することのできる長さで形成して挿通し、当該軸芯が挿通された連通孔内にモルタルを充填してかご室昇降路を固定することを特徴としている。
【００１５】
また、請求項５に記載の中層建築物用エレベータのかご室昇降路の隔壁構造物は、前記隔壁構造物において、各第二ブロックの上端で第一ブロックの開口側に中層建築物側へと連絡する橋絡部を設け、前記第一ブロック及び第二ブロックは、トンネル状のコンクリート構造物を構築するための汎用のコンクリート型枠を用いて平面形状ほぼコ字形及びロ字形に夫々形成され、前記橋絡部は、積み重ねしない第一ブロック又は第二ブロックを鉛直方向中央で切断して形成されてなることを特徴としている。
【００１６】
また、請求項６に記載のプレキャストコンクリートの構築方法は、基礎上に軸芯の下端を埋め込んで立設する第一工程と、鉛直方向の連通孔が複数形成された第一プレキャスト部材を、当該連通孔に前記軸芯の先端が露出するように挿通させて基礎上に設置する第二工程と、当該軸芯の先端に接続部材を取り付け、さらに他の軸芯を接続して延伸する第三工程と、鉛直方向の連通孔が複数形成された他のプレキャスト部材を、当該連通孔に前記延伸した軸芯の先端が露出するように挿通させて前記プレキャスト部材上に設置する第四工程とを含み、前記第二工程乃至第四工程を繰り返してプレキャストコンクリートを構築し、前記接続して延伸した軸芯の長さを、当該プレキャストコンクリートの変形に応じて当該軸芯が引張力に抵抗し、当該プレキャストコンクリートにストレスを付与することのできる長さになるようにしたことを特徴としている。
【００１７】
さらに、請求項７に記載の中層建築物用エレベータのかご室昇降路の隔壁構造物の構築方法は、水平方向に設けられた廊下又は鉛直方向に設けられた階段に併設する中層建築物用エレベータのかご室昇降路の隔壁構造物の構築方法であって、平面形状ほぼコ字形で鉛直方向の連通孔が複数形成された第一ブロックと、平面形状ほぼロ字形で鉛直方向に連通孔が複数形成された第二ブロックとを、トンネル状のコンクリート構造物を構築する汎用のコンクリート型枠を用いて形成する工程と、前記第一ブロックを廊下又は階段の方に開口して基礎上から前記第二ブロックとともに交互に複数積み重ねて、第一ブロック及び第二ブロックの接合面に接着剤を塗布して第一ブロック及び第二ブロックを一体化し、かご室昇降路を形成する工程と、前記第一ブロック及び第二ブロックが積み重ねられて連続する鉛直方向の連通孔内に、基礎内に下端部を埋め込んだ軸芯を、緊張作業を不要として当該軸芯によるストレスを第一ブロック及び第二ブロックに付与せず、且つ、当該軸芯の長さを当該隔壁構造物が変形した際に当該軸芯が引張力に抵抗してストレスを付与することのできる長さで形成して挿通し、当該軸芯が挿通された連通孔内にモルタルを充填してかご室昇降路を固定する工程とを含むことを特徴としている。
【発明の効果】
【００１８】
本発明に係る請求項１及び２に記載の発明によれば、前記プレキャスト部材を積み重ねて連続して挿通させた高張力の軸芯を引っ張って固定しないことから、過剰強度となることはなく、また、当該軸芯によってブロックが破損等せず、改築等の工事作業の機会が軽減することから、維持コストを軽減することができる。
【００１９】
また、前記の通り、高張力の軸芯を引っ張って固定しないことから、前記プレキャスト部材に連続して軸芯を挿通する際に、軸芯を誤って切断させたり、軸芯の固定部分が外れたり等することがなく、高張力の軸芯に作業員が接触して怪我等することもなく、作業員が安全に構築作業を行うことができる。また、当該軸芯にも余計な圧力が掛からないため破損等しにくく、当該軸芯を長く使用できて維持コストを軽減することができる。
【００２０】
さらに、当該軸芯を上方に引っ張らずにストレスを付与するための緊張作業を不要としているが、何らかの揺れによって複数のプレキャスト部材を積み重ねたプレコンの建築構造物が変形した際には、当該変形に伴って軸芯が引っ張られるため、当該建築構造物にストレスを付与することができ、プレコンの建築構造物として適切な強度を保持することができる。なお、当該建築構造物は、一般社団法人日本建築総合試験所による性能証明において、「長期荷重時に使用性、短期荷重時には損傷制御性を満足し、極めて稀な地震時にも倒壊・崩壊等を生じない。」との結果を得ている（ＧＢＲＣ性能証明第１３−２４号）（平成２６年２月１８日）。
【００２１】
また、請求項３及び４に記載の発明によれば、前記請求項１及び請求項２に記載の発明が奏する効果と同様の効果を得ることができ、第一ブロック及び第二ブロックを破損等することなく、安全で、且つ、安価に隔壁構造物を構築することができる。当該隔壁構造物は、学校や図書館、又は、中層集合住宅等の中層建築物に後付けでエレベータを設置するためのものであって、学校等の公的施設や住宅地の中層集合住宅に安全で且つ安価に隔壁構造物を後付けで構築することができる。
【００２２】
また、請求項５に記載の発明によれば、前記第一ブロック及び第二ブロックは、汎用のコンクリート型枠を利用して形成することができ、さらに、橋連部は、積み重ねない第一ブロック及び第二ブロックを切断することによって作成することができるので、第一ブロック、第二ブロック及び橋絡部の製造コストを削減することができるほか、汎用のコンクリート型枠の規格によっては、種々のサイズの第一ブロック及び第二ブロックを汎用的に製造することができる。
【００２３】
また、請求項６及び７に記載の発明によれば、前記プレキャストコンクリート及びかご室昇降路の隔壁構造物の構築において、前記プレキャスト部材並びに前記第一ブロック及び第二ブロックを組み立てることによって容易で効率的に構築することができる。
【図面の簡単な説明】
【００２４】
【図１】本発明に係る隔壁構造物の構造を示す斜視図である。
【図２】各ブロックを積み重ねた接合部を示す拡大断面図である。
【図３】汎用のコンクリート型枠を示す斜視図である。
【図４】橋絡部を製造する様子を示す斜視図である。
【図５】隔壁構造物を中層建築物に設置した状態を示す側面断面図である。
【図６】隔壁構造物を中層建築物に設置した状態を示す側面断面図である。
【図７】隔壁構造物を中層建築物に設置した状態を示す斜視図である。
【図８】隔壁構造物の構築工程を示す図である。
【図９】隔壁構造物の構築工程を示す図である。
【図１０】隔壁構造物の構築工程を示す図である。
【図１１】隔壁構造物の構築工程を示す図である。
【図１２】隔壁構造物の構築工程を示す図である。
【発明を実施するための形態】
【００２５】
以下、図面に基づいて本発明を具体的に説明する。まず、図１は、本発明に係る隔壁構造物１の構成を示す斜視図である。プレコンの建築構造物としての隔壁構築物１は、プレキャスト部材としての平面形状ほぼコ字形の第一ブロック２と平面形状ほぼロ字型の第二ブロック３を交互に複数積み重ねて、当該第二ブロック３の上端で前記ほぼコ字型の第一ブロック２の開口側に中層集合住宅や学校等の中層建築物の廊下又は階段へと連絡するための橋結部４を設けて構成されている。最上層の第二ブロック３の上端には、屋根スラブ５が固設され、最下層の第一ブロック２の下端は、基礎６上に固定される。前記ほぼコ字形の第一ブロック２の開口側は、エレベータの出入口とされる。
【００２６】
また、前記第一ブロック２及び第二ブロック３には、夫々鉛直方向の連通孔７が複数形成されており、当該積み重ねられて連続する連通孔７には、軸芯８が挿通される。当該軸芯８は、複数本の接続用鉄筋を接続部材としてのカプラー８ａを介して繋ぎ合わせて形成されている。当該カプラー８ａは、図２に示すように、連通孔７の下部に形成された拡径部７ａに収納され、これにより、軸芯８であるＰＣ鋼棒を基礎から積み重ねられた第一ブロック２及び第二ブロック３の連通孔７の最上部まで挿通することができる。この際、軸芯８は、連通孔７内を挿通するにとどまり、上方向に引っ張ることなく、当該軸芯８の上端を単に屋根スラブ５に固定するに留める。
【００２７】
当該カプラー８ａにより接続された軸芯８の長さは、当該第一ブロック２及び第二ブロック３を積み重ねて一体化した隔壁構造物１の変形に応じて当該軸芯が引張力に抵抗することにより、
当該隔壁構造物１にストレスを付与することのできる長さで形成されている。上記の通り、本発明では、軸芯８を上方に引っ張ってストレスを付与するための緊張作業を不要としているが、何らかの揺れによって第一ブロック２及び第二ブロック３の積み重ねられた隔壁構造物１が変形した際には、当該変形に伴って軸芯８が引っ張られるため、隔壁構造物１にストレスを付与することができ、プレコンの建築構造物として適切な強度を保持することができる。
【００２８】
また、第一ブロック２及び第二ブロック３は、夫々各上端及び各下端に接着剤を塗布して接合して積み重ねられ、各接合面に敷設された硬質ゴム製パッキン等（図示せず。）を密着させた後、連通孔７の隙間に防水用のモルタル（セメント系グラウト剤）を充填して固定される。
【００２９】
ここで、前記第一ブロック２及び第二ブロック３は、トンネル状のコンクリート構造物を構築するための汎用のコンクリート型枠を用いて平面形状ほぼコ字形及びロ字形に夫々形成される。本実施例では、当該汎用のコンクリート型枠としてボックスカルバートＡ（図３に示す。）を製造する際に使用するコンクリート型枠を用いて第一ブロック２及び第二ブロック３を製造する。
【００３０】
当該ボックスカルバートＡは、下水用ボックスカルバート、道路土工用ボックスカルバート、橋梁用ボックスカルバートや水路用ボックスカルバート等のように、種々の用途に応じて規格化されており、また、各用途においても種々のサイズのボックスカルバートＡが規格化されている。このように規格化されたボックスカルバートは、当該種々の規格ごとに汎用化されたコンクリート型枠を用いて製造される。そのため、当該コンクリート型枠を用いて第一ブロック２及び第二ブロック３を製造すれば、本第一ブロック２等の専用のコンクリート型枠を組み立てて製造するに比して安価に製造することができ、隔壁構造物１の構築コストを削減することができる。
【００３１】
例えば、規格化されたボックスカルバートＡとしては、内寸縦１８００ｍｍ、内寸横１８００ｍｍ、外寸縦２１０００ｍｍ、外寸横２１００ｍｍで高さ４００ｍｍの第一ブロック２又は第二ブロック３から、内寸縦２５００ｍｍ、内寸横３０００ｍｍ、外寸縦２９００ｍｍ、外寸横３５００ｍｍで高さ２０００ｍｍの第一ブロック２又は第二ブロック３というように、種々のサイズに応じて汎用のコンクリート型枠を用いて製造することができる。
【００３２】
また、図４に示すように、前記橋絡部４は、平面形状ほぼコ字形の第一ブロック２を鉛直方向中央近傍で切断して形成される。当該第一ブロック２は、前記のように隔壁構造物１を構築するために積み重ねるものではなく、積み重ねる第一ブロック２と同様に製造されるが、当該橋絡部４を形成するためのものである。また、図示はしないが、当該橋絡部４は、平面形状ほぼロ字形の第二ブロック２を鉛直方向中央近傍で切断して形成することもできる。なお、当該橋絡部４は、隔壁構造物１と中層建築物との間隔幅に応じた長さに切断される。
【００３３】
これにより、当該橋絡部４を製造するための専用のコンクリート型枠を用いる必要がなく、また、前記第一ブロック２又は第二ブロック３を切断することで製造することができるため、その製造コストを削減することができる。
【００３４】
次に、前記隔壁構造物１を中層建築物の近傍に設置した状態について説明する。
【００３５】
図５は、当該隔壁構造物１を示す断面側面図である。前記の通り、中層建築物に併設してプレコンの建築構造物としての隔壁構造物１をプレキャスト部材としての前記第一ブロック２及び第二ブロック３を積み重ねて構築し、当該隔壁構造物１を各階ごとの橋絡部４を介して中層建築物の廊下９に接続する。なお、図示はしないが、廊下９には通常手摺りが既設されているが、橋絡部４を接続する際には、当該手摺りを取り除き、且つ、橋絡部４の両サイドに転落防止用の手摺りを設けるのがよい。
【００３６】
図６も、当該隔壁構造物１を示す断面側面図である。前記の通り、中層建築物に併設して隔壁構造物１を構築し、当該隔壁構造物１を中層建築物に設けられた折り返し階段１０の踊場１１に各橋絡部４を介して接続する。このように、諸事情により、中層建築物の廊下９側に隔壁構造物１を併設できないような場合であっても、中層建築物の折り返し階段１０の踊場１１に前記橋絡部４を介して隔壁構造物１を接続することができる。この場合、踊場１１から各部屋までは、折り返し階段１０を半階上がり降りする必要がある。また、当該図６に示すように、折り返し階段１０に隔壁構造物１を設置する場合や中層建築物の１階廊下が地表よりも僅かに高い場合には、基礎６の上端に高さ調整として第二ブロック３を積み重ねることができる。なお、橋絡部４を接続する際には、橋絡部４の両サイドに転落防止用の手摺りを設けるのがよい。
【００３７】
図７は、隔壁構造物１を中層建築物に設置した状態を示す外観斜視図である。このように設置される隔壁構造物１は、作業員による作業効率の向上、作業工程の短縮による地域住民への騒音被害の軽減等という効果のほか、作業員の安全性をも向上させることができ、さらに、維持費用等の削減により運用面でのコストも削減することができ、経済的にも優れている。
【００３８】
次に、本発明に係る隔壁構造物１を構築する工程について、ここでは４階建ての中層建築物に隔壁構造物１を構築する工程について、図８乃至図１２を用いて具体的に説明する。
【００３９】
まず、前記汎用のコンクリート型枠を用いて、平面形状ほぼコ字形で鉛直方向の連通孔７が複数形成された第一ブロック２と、平面形状ほぼロ字形で鉛直方向に連通孔７が複数形成された第二ブロック３とをプレキャスト部材として形成する。当該第一ブロック２と第二ブロック３の形成は、別の作業場等で形成され、その後、これらを設置する中層建築物まで運搬される。
【００４０】
次に、図８に示すように、中層建築物近傍の所定の位置、すなわち、廊下９近傍又は折り返し階段１０近傍に、基礎６を構築する。当該基礎６には、当該基礎６の天端から約９５ｍｍ〜１０５ｍｍの幅で突出させた状態で複数の軸芯８が埋設されており、当該軸芯８の先端部には他の軸芯８を接続するためのカプラー８ａが取り付けられる。
【００４１】
次に、図９に示すように、前記基礎６に埋設した軸芯８の先端部に取り付けたカプラー８ａの上方に、さらに他の軸芯８を取り付けて鉛直方向に延伸させる。
【００４２】
次に、図１０に示すように、クレーンを使用して前記第一ブロック２を持ち上げ、当該基礎６の上部に積み重ねる。この際、当該第一ブロック２に形成された連通孔７に前記複数の軸芯８が挿通され、前記カプラー８ａは、前記挿通孔７の下部に形成された拡径部７ａ（図２に図示。）に収納される。さらに、図１１に示すように、当該第一ブロック２の上部に第二ブロック３を積み重ねる。この際も、当該第二ブロック３に形成された連通孔７に軸芯８が挿通される。なお、当該第一ブロック２及び第二ブロック３の接合面には接着剤が塗布されて、第一ブロック２及び第二ブロック３が一体化される。なお、前記軸芯８は、当該第一ブロック２及び第二ブロック３を積み重ねた際に連続する挿通孔７よりも僅かに長い程度の長さで形成されており、前記軸芯８は、第二ブロック３の上面から約９５ｍｍ〜１０５ｍｍの幅で突出するように形成される。
【００４３】
次に、前記第二ブロック３の上面から突出した軸芯８の先端部に、カプラー８ａを取り付け、さらに上方に軸芯８を接続する。そして、図１０及び図１１と同様に、当該第二ブロック２の上面からさらに第一ブロック２及び第二ブロック３を積み重ねる。本工程では、４階建ての中層建築物に隔壁構造物１をプレコンの建築構造物として設置するものであるため、当該積み重ねの工程を４度行い、中層建築物の４階の廊下又は階段の高さまで隔壁構造物１を構築する。
【００４４】
次に、図１２に示すように、屋根スラブ５を前記第二ブロック３の上面に取り付けて固定する。
【００４５】
最後に、図示はしないが、前記軸芯８が挿通された連通孔７の内部にモルタル（セメント系グラウト剤）を充填して隔壁構造物１を固定する。
【００４６】
その後、前記図４に示した中層建築物側へと連絡する橋絡部４を、積み重ねしない第一ブロック２又は第二ブロック３を鉛直方向中央で切断して形成し、さらに、隔壁構造物１と中層建築物との間隔幅に応じた長さに切断する必要がある場合は当該切断をした後に、前記第二ブロックの上端で第一ブロックの開口側に取り付ける。
【００４７】
このように、軸芯８を上方に引っ張ることなく隔壁構造物１を構築したとしても、何らかの揺れによって第一ブロック２及び第二ブロック３の積み重ねられた隔壁構造物１が変形した際には、当該変形に伴って軸芯８が引っ張られるため、隔壁構造物１にストレスを付与することができ、プレキャストコンクリートの建築構造物として適切な強度を保持することができる。また、軸芯８を引っ張ることによって過剰強度とはならず、当該軸芯８によって第一ブロック２等が破損することなく、隔壁構造物１の維持コストを削減することができるとともに、作業員が安全に作業することができる。また、第一ブロック２及び第二ブロック３を安価に製造することができるため、大きくコスト削減を図ることができる。また、
【産業上の利用可能性】
【００４８】
前記実施例では、本発明に係る隔壁構造物１を中層建築物に併設させたが、その他、小学校等の教育施設や老人ホーム等の介護施設等に併設することも可能である。
【符号の説明】
【００４９】
１    隔壁構造物
２    第一ブロック
３    第二ブロック
４    橋絡部
５    屋根スラブ
６    基礎
７    連通孔
７ａ  拡径部
８    軸芯
８ａ  カプラー
９    廊下
１０    折り返し階段
１１    踊場
【図１】
2015165077.tif 000003
【図２】
2015165077.tif 000004
【図３】
2015165077.tif 000005
【図４】
2015165077.tif 000006
【図５】
2015165077.tif 000007
【図６】
2015165077.tif 000008
【図７】
2015165077.tif 000009
【図８】
2015165077.tif 000010
【図９】
2015165077.tif 000011
【図１０】
2015165077.tif 000012
【図１１】
2015165077.tif 000013
【図１２】
2015165077.tif 000014
【手続補正書】
【提出日】平成27年3月30日(2015.3.30)
【手続補正１】
【補正対象書類名】特許請求の範囲
【補正対象項目名】全文
【補正方法】変更
【補正の内容】
【特許請求の範囲】
【請求項１】
プレキャストコンクリートの構築構造物の構築方法であって、
基礎上に軸芯の下端を埋め込んで立設する第一工程と、
鉛直方向の連通孔が複数形成された第一プレキャスト部材を、当該連通孔に前記軸芯の先端が露出するように挿通させて基礎上に設置する第二工程と、
当該軸芯の先端に接続部材を取り付け、さらに他の軸芯を接続して延伸する第三工程と、
鉛直方向の連通孔が複数形成された他のプレキャスト部材を、当該連通孔に前記延伸した軸芯の先端が露出するように挿通させて前記プレキャスト部材上に設置する第四工程とを含み、
前記第二工程乃至第四工程を繰り返してプレキャストコンクリートの構築構造物を構築し、前記接続して延伸した軸芯の長さを、当該構築構造物の変形に応じて当該軸芯が引張力に抵抗して、当該構築構造物にストレスを付与することのできる長さになるようにしたことを特徴とするプレキャストコンクリートの構築構造物の構築方法。
【請求項２】
水平方向に設けられた廊下又は鉛直方向に設けられた階段に併設する中層建築物用エレベータのかご室昇降路の隔壁構造物の構築方法であって、
基礎上に軸芯の下端を埋め込んで立設する第一工程と、
平面形状ほぼコ字形で鉛直方向の連通孔が複数形成されたプレキャスト部材としての第一ブロックを、当該第一ブロックが廊下又は階段の方に開口するとともに、前記連通孔に前記軸芯の先端が露出するように挿通させて基礎上に設置する第二工程と、
当該軸芯の先端に接続部材を取り付け、さらに他の軸芯を接続して延伸する第三工程と、
平面形状ほぼロ字形で鉛直方向に連通孔が複数形成されたプレキャスト部材としての第二ブロックを、当該連通孔に前記延伸した軸芯の先端が露出するように挿通させて前記第一ブロック上に設置する第四工程とを含み、
当該第二ブロック設置後は、当該第二ブロック上に他の前記第一ブロックを設置するようにして、前記第二工程乃至第四工程を繰り返してかご室昇降路の隔壁構造物を構築し、前記接続して延伸した軸芯の長さを当該隔壁構造物の変形に応じて当該軸芯が引張力に対抗して、当該隔壁構造物にストレスを付与することのできる長さになるようにしたことを特徴とする中層建築物エレベータのかご室昇降路の隔壁構造物の構築方法。
【請求項３】
前記平面形状ほぼコ字型のプレキャスト部材としての第一ブロックの開口する対向面を鉛直方向中央近傍で切断し、或いは、前記平面形状ほぼロ字形のプレキャスト部材としての第二ブロックを鉛直方向中央近傍で切断して前記橋絡部を形成する工程と、
当該橋絡部を、前記かご室昇降路の隔壁構造物の中層建築物側に設置する工程とを含むことを特徴とする請求項２に記載の中央建築物エレベータのかご室昇降路の隔壁構造物の構築方法。
【手続補正３】
【補正対象書類名】明細書
【補正対象項目名】００１０
【補正方法】変更
【補正の内容】
【００１０】
そこで、本発明は、従来よりも安全で、且つ、安価に形成することのできるプレキャストコンクリートの構築構造物の構築方法及び中層建築物エレベータのかご室昇降路の隔壁構造物の構築方法を提供することを課題とした。
【手続補正４】
【補正対象書類名】明細書
【補正対象項目名】００１１
【補正方法】変更
【補正の内容】
【００１１】
上記課題を解決するために、本発明は次のように構成した。すなわち、本発明に係る請求項１に記載のプレキャストコンクリートの構築構造物の構築方法は、基礎上に軸芯の下端を埋め込んで立設する第一工程と、鉛直方向の連通孔が複数形成された第一プレキャスト部材を、当該連通孔に前記軸芯の先端が露出するように挿通させて基礎上に設置する第二工程と、当該軸芯の先端に接続部材を取り付け、さらに他の軸芯を接続して延伸する第三工程と、鉛直方向の連通孔が複数形成された他のプレキャスト部材を、当該連通孔に前記延伸した軸芯の先端が露出するように挿通させて前記プレキャスト部材上に設置する第四工程とを含み、前記第二工程乃至第四工程を繰り返してプレキャストコンクリートの構築構造物を構築し、前記接続して延伸した軸芯の長さを、当該構築構造物の変形に応じて当該軸芯が引張力に抵抗して、当該構築構造物にストレスを付与することのできる長さになるようにしたこと特徴としている。
【手続補正５】
【補正対象書類名】明細書
【補正対象項目名】００１２
【補正方法】変更
【補正の内容】
【００１２】
また、請求項２に記載の中層建築物エレベータのかご室昇降路の隔壁構造物の構築方法は、水平方向に設けられた廊下又は鉛直方向に設けられた階段に併設する中層建築物用エレベータのかご室昇降路の隔壁構造物の構築方法であって、基礎上に軸芯の下端を埋め込んで立設する第一工程と、平面形状ほぼコ字形で鉛直方向の連通孔が複数形成されたプレキャスト部材としての第一ブロックを、当該第一ブロックが廊下又は階段の方に開口するとともに、前記連通孔に前記軸芯の先端が露出するように挿通させて基礎上に設置する第二工程と、当該軸芯の先端に接続部材を取り付け、さらに他の軸芯を接続して延伸する第三工程と、平面形状ほぼロ字形で鉛直方向に連通孔が複数形成されたプレキャスト部材としての第二ブロックを、当該連通孔に前記延伸した軸芯の先端が露出するように挿通させて前記第一ブロック上に設置する第四工程とを含み、
当該第二ブロック設置後は、当該第二ブロック上に他の前記第一ブロックを設置するようにして、前記第二工程乃至第四工程を繰り返してかご室昇降路の隔壁構造物を構築し、前記接続して延伸した軸芯の長さを当該隔壁構造物の変形に応じて当該軸芯が引張力に対抗して、当該隔壁構造物にストレスを付与することのできる長さになるようにしたことを特徴としている。
【手続補正６】
【補正対象書類名】明細書
【補正対象項目名】００１３
【補正方法】変更
【補正の内容】
【００１３】
また、請求項３に記載の中層建築物エレベータのかご室昇降路の隔壁構造物の構築方法は、前記請求項２の構築方法において、前記平面形状ほぼコ字型のプレキャスト部材としての第一ブロックの開口する対向面を鉛直方向中央近傍で切断し、或いは、前記平面形状ほぼロ字形のプレキャスト部材としての第二ブロックを鉛直方向中央近傍で切断して前記橋絡部を形成する工程と、当該橋絡部を、前記かご室昇降路の隔壁構造物の中層建築物側に設置する工程とを含むことを特徴としている。
【手続補正７】
【補正対象書類名】明細書
【補正対象項目名】００１４
【補正方法】削除
【補正の内容】
【手続補正８】
【補正対象書類名】明細書
【補正対象項目名】００１５
【補正方法】削除
【補正の内容】
【手続補正９】
【補正対象書類名】明細書
【補正対象項目名】００１６
【補正方法】削除
【補正の内容】
【手続補正１０】
【補正対象書類名】明細書
【補正対象項目名】００１７
【補正方法】削除
【補正の内容】
【手続補正１１】
【補正対象書類名】明細書
【補正対象項目名】００１８
【補正方法】変更
【補正の内容】
【００１８】
本発明に係る請求項１に記載の発明によれば、前記プレキャスト部材を積み重ねて連続して挿通させた高張力の軸芯を引っ張って固定しないことから、過剰強度となることはなく、また、当該軸芯によってブロックが破損等せず、改築等の工事作業の機会が軽減することから、維持コストを軽減することのできるプレキャストコンクリートの構築構造物を容易で効率的に構築することができる。
【手続補正１２】
【補正対象書類名】明細書
【補正対象項目名】００２１
【補正方法】変更
【補正の内容】
【００２１】
また、請求項２に記載の発明によれば、前記請求項１に記載の発明が奏する効果と同様の効果を得ることができ、第一ブロック及び第二ブロックを破損等することなく、安全で、且つ、安価に隔壁構造物を構築することができる。当該隔壁構造物は、学校や図書館、又は、中層集合住宅等の中層建築物に後付けでエレベータを設置するためのものであって、学校等の公的施設や住宅地の中層集合住宅に安全で且つ安価に隔壁構造物を後付けで容易で効率的に構築することができる。
【手続補正１３】
【補正対象書類名】明細書
【補正対象項目名】００２２
【補正方法】変更
【補正の内容】
【００２２】
また、請求項３に記載の発明によれば、前記橋絡部が積み重ねない第一ブロック及び第二ブロックを切断することによって作成することができるので当該橋絡部の製造コストを削減することができる。
【手続補正１４】
【補正対象書類名】明細書
【補正対象項目名】００２３
【補正方法】削除
【補正の内容】